(57)【要約】【課題】本発明の課題は、透明板と保持枠の分解が容易にでき、且つ、廃材の分別ができ地球環境の保護を図ることができる透明板ユニット及びこれを備えた遊技台を得ることである。【解決手段】本発明に係る透明板ユニット１は、２枚（複数）の透明板１１ａ、１１ｂと、各透明板１１ａ、１１ｂの縁部１２ａ、１２ｂを一緒に保持する軟質樹脂製の保持枠１３と、弾性を有し保持枠１３に抜き差し自在に取り付ける金属製クリップ１５とを備え、保持枠１３は、両外側部３９ａ、３９ｂと両外側部間に位置する内側部４１とを一体に備え、各外側部３９、３９と内側部４１とで透明板１１、１１を一枚ずつ挟んでおり、クリップ１５は、保持枠１３を両外側から挟んで透明板１１を保持枠１３に固定するようにしている。【選択図】図３
2009089861.tif 000002
【特許請求の範囲】
【請求項１】
装飾枠に取り付けられる透明板ユニットであって、複数の透明板と、各透明板の縁部を一緒に保持する軟質樹脂製の保持枠と、弾性を有し保持枠に抜き差し自在に取り付ける金属製クリップとを備え、保持枠は、両外側部と両外側部間に位置する内側部とを一体に備え、各外側部と内側部とで透明板を一枚ずつ挟んでおり、クリップは、保持枠を両外側から挟んで透明板を保持枠に固定していることを特徴とする透明板ユニット。
【請求項２】
保持枠は複数あり、保持枠同士を直列に連結して透明板の外周に亘って設けており、隣り合う保持枠を突き合わせてクリップで一緒に挟んでいることを特徴とする請求項１に記載の透明板ユニット。
【請求項３】
透明板ユニットを装飾枠に係止するフックを備え、隣り合う一方の保持枠及び他方の保持枠はフックの係止孔を備え、フックの一端部を一方の保持枠の係止孔に係止し、フックの他端部を他方の保持枠の係止孔に挿通して保持枠から突設してあることを特徴とする請求項２に記載の透明板ユニット。
【請求項４】
請求項１〜３の何れかに記載の透明板ユニットを遊技盤の前面に設けた装飾枠に固定したことを特徴とする遊技台。
【発明の詳細な説明】
【技術分野】
【０００１】
本発明は、透明板ユニット及びこれを備えた遊技台に関する。
【背景技術】
【０００２】
特許文献１には、複数の透明板を保持枠の両外側部と両外側部間に位置する内側部とで一枚ずつ挟んで固定した透明板ユニットを遊技台の装飾枠に取り付ける技術が開示されている。
【０００３】
【特許文献１】特開２００４−２４８８８２号公報
【発明の開示】
【発明が解決しようとする課題】
【０００４】
しかし、特許文献１に記載の従来技術では、透明板が保持枠に接着剤で強固に固定されるため、廃遊技台を廃棄する際、透明板（ガラス）と保持枠（金属）から成る透明板ユニットの分解が困難なため廃材の分別ができず、地球環境に好ましくないという問題があった。
【０００５】
そこで、本発明は、透明板と保持枠の分解が容易にでき、且つ、廃材の分別ができ地球環境の保護を図ることができる透明板ユニット及びこれを備えた遊技台を得ることを目的とする。
【課題を解決するための手段】
【０００６】
前記課題を解決するために、請求項１に記載された発明は、装飾枠に取り付けられる透明板ユニットであって、複数の透明板と、各透明板の縁部を一緒に保持する軟質樹脂製の保持枠と、弾性を有し保持枠に抜き差し自在に取り付ける金属製クリップとを備え、保持枠は、両外側部と両外側部間に位置する内側部とを一体に備え、各外側部と内側部とで透明板を一枚ずつ挟んでおり、クリップは、保持枠を両外側から挟んで透明板を保持枠に固定していることを特徴とする。
【０００７】
請求項２に記載された発明は、請求項１に記載の発明において、保持枠は複数あり、保持枠同士を直列に連結して透明板の外周に亘って設けており、隣り合う保持枠を突き合わせてクリップで一緒に挟んでいることを特徴とする。
【０００８】
請求項３に記載された発明は、請求項２に記載の発明において、透明板ユニットを装飾枠に係止するフックを備え、隣り合う一方の保持枠及び他方の保持枠はフックの係止孔を備え、フックの一端部を一方の保持枠の係止孔に係止し、フックの他端部を他方の保持枠の係止孔に挿通して保持枠から突設してあることを特徴とする。
【０００９】
請求項４に記載された発明は、請求項１〜３の何れかに記載の透明板ユニットを遊技盤の前面に設けた装飾枠に固定したことを特徴とする遊技台である。
【発明の効果】
【００１０】
請求項１に記載の発明によれば、複数の透明板の縁部を挟んだ保持枠がクリップの弾性力で両外側から付勢されて挟持されているので、弾性力による付勢を解いてクリップを外すことにより、透明板と保持枠の分解を容易に行うことができる。従って、例えば、ガラス製の透明板と、金属製のクリップと、樹脂製の保持枠とに廃材の分別ができ地球環境の保護を図ることができる。更に、接着剤が不要なので、透明板ユニットの製造が容易である。
【００１１】
請求項２に記載の発明によれば、請求項１に記載の発明と同様な効果を奏すると共に、透明板に保持枠を順次取り付けていき、隣り合う保持枠をまたいでクリップを装着するので、作業効率良く保持枠を透明板の外周に固定することができ、且つ、透明板の外周に固定された保持枠を作業効率良く取り外すことができる。
【００１２】
請求項３に記載の発明によれば、請求項２に記載の発明と同様な効果を奏すると共に、フックの一端部を隣り合う一方の保持枠の係止孔に係止して、且つ、フックの他端部を他方の保持枠の係止孔に挿通して保持枠から突設することにより、隣り合う保持枠を連結するので、簡易な構成で、隣り合う保持枠を連結すると共に透明板ユニットを装飾枠に係止することができる。
【００１３】
請求項４に記載の発明によれば、請求項１〜３の何れかに記載の透明板ユニットで遊技盤の前面を覆うことができる。
【発明を実施するための最良の形態】
【００１４】
以下に、添付図面を参照して、本発明の実施の形態を詳細に説明する。図１は本実施の形態に係る保持枠とクリップとフックの組み付けを示す斜視図であり、図２は本実施の形態に係る保持枠の斜視図であり、図１のＡ−Ａ断面を示している。図３は本実施の形態に係る透明板ユニットの図７のＢ−Ｂ断面図であり、図４は本実施の形態に係る透明板ユニットの図７のＣ−Ｃ断面図であり、図５は本実施の形態に係る透明板ユニットの図７のＥ−Ｅ断面図であり、図６は本実施の形態に係る透明板ユニットの図７のＦ−Ｆ断面図であり、図７は本実施の形態に係る透明板ユニットの斜視図であり、図８は本実施の形態に係る遊技台の装飾枠を開いた状態を示す斜視図である。
【００１５】
図８に示すように、透明板ユニット１は、遊技台（パチンコ台）３の遊技盤５の前面を覆うものであり、遊技台３は、遊技盤５が設けられた本体７と、本体７に対してヒンジにより開閉自在な装飾枠９と、装飾枠９に取り付けられる透明板ユニット１とを備えている。
【００１６】
透明板ユニット１は、図７に示すように、２枚の透明板（ガラス板）１１ａ、１１ｂと、透明板１１ａ、１１ｂを保持する軟質樹脂製の保持枠１３と、保持枠１３を透明板１１ａ、１１ｂに固定するクリップ１５と、透明板ユニット１を装飾枠９に係止する硬質樹脂製のフック１７とを備えている。
【００１７】
２枚の各透明板１１ａ、１１ｂは、図７に示すように、同形・同大・同厚で左右対称な六角形の形状である。
【００１８】
保持枠１３は、透明板１１ａ、１１ｂの縁部１２ａ、１２ｂを外周に亘って保持するものであり、図７に示すように、直線状の第１保持枠１９と、４５度に折れ曲がる第２保持枠２１及び第３保持枠２３と、直線状の第４保持枠２５及び第６保持枠２９と、直角に折れ曲がる第５保持枠２７とから構成されている。尚、本実施の形態では、保持枠１３はエラストマー製である。
【００１９】
第１保持枠１９は、図１に示すように、直線状の胴部３１と、胴部３１の両端に形成されたクリップ装着部３３とを備えている。胴部３１には、フック１７の一端部３５を係止する貫通した係止孔３７が２つ形成されている。尚、図１及び図７に示すように、第１保持枠１９の装着部３３の一端１９ａと他端１９ｂは各々第２保持枠２１の一端２１ａに突き合わされる（以下、同様にして隣り合う保持枠の端同士が突き合わされる）。
【００２０】
胴部３１及びクリップ装着部３３は、図２及び図３に示すように、２つの外側部（両外側部）３９ａ，３９ｂと１つの内側部４１とを備え、外側部３９ａと内側部４１とで透明板１１ａの縁部１２ａを挟み込み、外側部３９ｂと内側部４１とで透明板１１ｂの縁部１２ｂを挟み込んでいる。胴部３１においては、図２の部分拡大断面図に示すように、２つの外側部３９ａ，３９ｂ及び内側部４１は連続して一体となっている（以下、胴部及び装着部３３は同様の構造である）。
【００２１】
図３に示すように、２枚の透明板１１ａ、１１ｂの間にフック１７の中間部５１を挿入できるようにするため、装着部３３においては外側部３９ａ，３９ｂに比べて内側部４１を短くしている。装着部３３の径は胴部３１の径よりも小さくなっており、クリップ１５が装着されたときにクリップ１５の両端部１６ａ、１６ｂが胴部３１よりも径方向にはみ出さないようになっている。
【００２２】
第２保持枠２１は、図１に示すように、４５度に折れ曲がる胴部４３と、胴部４３の両端に形成されたクリップ装着部３３と、フック１７の一端部３５を係止する係止孔３７と、フック１７の他端部４５を係止する係止孔３８とを備えている。第３保持枠２３は、図７に示すように、第２保持枠２１と同形・同大である。尚、係止孔３８は、係止孔３７と同様な貫通孔である。
【００２３】
第４保持枠２５は、図７に示すように、直線状の胴部４７と、胴部４７の両端に形成されたクリップ装着部３３とを備えている。
【００２４】
第５保持枠２７は、直角に折れ曲がる胴部４９と、胴部４９の両端に形成されたクリップ装着部３３とを備えている。尚、図７の紙面に向かって右側の第５保持枠２７の手前側の外側部３９ｂはパチンコ玉の進路を妨害しないように、図６に示すように、一部を切り欠いている。第６保持枠２９は、第４保持枠２５と同形・同大である。
【００２５】
クリップ１５は、金属製のばね材であり、図３に示すように、縦断面がコの字状の挟持部２０と、縦断面がＬ字状の両端部１６ａ、１６ｂとを備えており、２枚の透明板１１ａ、１１ｂを内側部４１とで挟み込んだ２つの外側部３９ａ，３９ｂを両外側から挟持している。クリップ１５は、図１に示すように、第１保持枠１９及び第２保持枠２１の隣り合うクリップ装着部３３を一緒に挟むようになっている。クリップ１５装着前の挟持部２０の縦断面は、コの字の対辺が幾分閉じた状態となっており、クリップ１５は、両端部１６ａ、１６ｂを掴んでコの字の対辺を広げることにより、装着部３３に対して抜き差し自在となっている。
【００２６】
フック１７は、第１保持枠１９及び第２保持枠２１の係止孔３７に係止される一端部３５と、第２保持枠２１及び第３保持枠２３の係止孔３８に挿通して係止される他端部４５と、中間部５１とを備えている。一端部３５は、図５に示すように、第１保持枠１９の胴部３１及び第２保持枠２１の胴部４３の係止孔３７に係止されており、他端部４５は、図４に示すように、第２保持枠２１及び第３保持枠２３の胴部４３の係止孔３８を貫通して胴部４３の外側に突出している。このようにして、隣り合う第１保持枠（一方の保持枠）１９と第２保持枠（他方の保持枠）２１、及び隣り合う第２保持枠（一方の保持枠）２１と第３保持枠（他方の保持枠）２３が連結される。図３〜図５に示すように、フック１７の一端部３５、他端部４５、及び中間部５１は２枚の透明板１１ａ、１１ｂに挟持されている。尚、本実施の形態では、フック１７はＡＢＳ樹脂製である。
【００２７】
ここで、透明板ユニット１の組み立て手順及び解体手順を説明する。第１保持枠１９、第２保持枠２１、及び第３保持枠２３をフック１７で直列に連結しながら２枚の透明板１１ａ、１１ｂの縁部１２ａ、１２ｂに順次嵌め込んでいく。嵌め込んだ後、クリップ１５を手で広げて、互いに端面を突き合わせた隣り合うクリップ装着部３３を一緒に挟んで固定する。第４保持枠２５、第５保持枠２７、第６保持枠２９はフック１７で連結せずに各々単独で２枚の透明板１１ａ、１１ｂの縁部１２ａ、１２ｂに嵌め込み、隣り合うクリップ装着部３３をクリップ１５で挟んで固定する。尚、このようにして組み立てられた透明板ユニット１を、図８に示すように、フック１７の他端部４５を遊技台３の装飾枠９の内側に引っ掛けて、装飾枠９に嵌め込む。一方、透明板ユニット１を解体するときには、クリップ１５を手で広げて装着部３３から取り外して、２枚の透明板１１ａ、１１ｂから保持枠及びフック１７を順次取り外していく。
【００２８】
次に、本実施の形態に係る作用及び効果を説明する。本実施の形態によれば、２枚（複数）の透明板１１ａ、１１ｂの縁部１２ａ、１２ｂを挟んだ保持枠１３がクリップ１５の弾性力で両外側から付勢されて挟持されているので、クリップ１５の両端部１６ａ、１６ｂを掴んで挟持部２０を広げてクリップ１５を外すことにより、２枚の透明板１１ａ、１１ｂと保持枠１３の分解を容易に行うことができる。従って、ガラス製の透明板１１ａ、１１ｂと、金属製のクリップ１５と、樹脂製の保持枠１３及びフック１７とに廃材の分別ができ地球環境の保護を図ることができる。更に、接着剤が不要なので、透明板ユニット１の製造が容易である。
【００２９】
クリップ１５は保持枠１３に抜き差し自在に取り付けられているので、クリップ１５を容易に着脱することができる。
【００３０】
透明板１１ａ、１１ｂに保持枠を順次取り付けていき、隣り合う装着部３３をまたいでクリップ１５を装着するので、作業効率良く保持枠を透明板１１ａ、１１ｂの外周に固定することができ、且つ、透明板１１ａ、１１ｂの外周に固定された保持枠を作業効率良く取り外すことができる。
【００３１】
第１保持枠１９の係止孔３７にフック１７の一端部３５を係止して、且つ、第２保持枠２１の係止孔３８にフック１７の他端部４５を挿通して突設することにより、隣り合う第１保持枠（一方の保持枠）１９と第２保持枠（他方の保持枠）２１とを連結し、簡易な構成で、隣り合う第１保持枠１９と第２保持枠２１とを連結すると共に透明板ユニット１を装飾枠９に係止することができる。
【００３２】
隣り合う第１保持枠（一方の保持枠）１９と第２保持枠（他方の保持枠）２１とをフック１７で連結しているので、隣り合う第１保持枠１９と第２保持枠２１との連結を強固にすることができる。
【００３３】
保持枠１３はエラストマー製（軟質樹脂製）なので、保持枠１３で一枚ずつ挟持した透明板１１ａ、１１ｂの滑りを防止できる。従って、保持枠１３で一枚ずつ挟持した透明板１１ａ、１１ｂのズレを防止できる。
【００３４】
尚、本発明は、前述した実施形態に限定されることなく、その要旨を逸脱しない範囲で種々変形して実施できることは言うまでもない。
【００３５】
保持枠の形状、寸法、及び個数は、本実施の形態におけるものに限られず、透明板の形状、枚数、及び大きさに応じて適宜変更しても良い。例えば、同形・同大の長方形の透明板が３枚であれば、直角に折れ曲がり、且つ、両外側部間に２つの内側部を設けた保持枠を４つ用いて各透明板の外周を保持しても良い。
【００３６】
フック１７の一端部３５を係止する係止孔として、第１保持枠１９、第２保持枠２１、及び第３保持枠２３には貫通した係止孔３７が形成されているが、これに代えて、フック１７を挿入する側に開口した溝を保持枠に形成しても良い。
【００３７】
本実施の形態では、透明板としてガラス板を用いているが、これに代えて、透明板としてアクリル板を用いても良い。
【００３８】
本実施の形態では、透明板ユニット１を遊技台３の装飾枠９に取り付けているが、これに代えて、透明板ユニットを自動販売機等の開閉扉の内側に取り付けても良い。
【図面の簡単な説明】
【００３９】
【図１】本実施の形態に係る保持枠とクリップとフックの組み付けを示す斜視図である。
【図２】本実施の形態に係る保持枠の斜視図であり、図１のＡ−Ａ断面を示している。
【図３】本実施の形態に係る透明板ユニットの図７のＢ−Ｂ断面図である。
【図４】本実施の形態に係る透明板ユニットの図７のＣ−Ｃ断面図である。
【図５】本実施の形態に係る透明板ユニットの図７のＥ−Ｅ断面図である。
【図６】本実施の形態に係る透明板ユニットの図７のＦ−Ｆ断面図である。
【図７】本実施の形態に係る透明板ユニットの斜視図である。
【図８】本実施の形態に係る遊技台の装飾枠を開いた状態を示す斜視図である。
【符号の説明】
【００４０】
１                      透明板ユニット
３                      遊技台
５                      遊技盤
９                      装飾枠
１１ａ、１１ｂ          透明板
１２ａ、１２ｂ          縁部
１３                    保持枠
１５                    クリップ
１７                    フック
１９                    第１保持枠（一方の保持枠）
２１                    第２保持枠（他方の保持枠、一方の保持枠）
２３                    第３保持枠（他方の保持枠）
３５                    フックの一端部
３７                    係止孔
３８                    係止孔
３９ａ，３９ｂ          外側部
４１                    内側部
４５                    フックの他端部
【図１】
2009089861.tif 000003
【図２】
2009089861.tif 000004
【図３】
2009089861.tif 000005
【図４】
2009089861.tif 000006
【図５】
2009089861.tif 000007
【図６】
2009089861.tif 000008
【図７】
2009089861.tif 000009
【図８】
2009089861.tif 000010